(57)【要約】【課題】綴じ棒を従来に比し短く形成し、綴じ棒の係合板への架設状態において綴じ棒の先端部が係合板の係合穴から出っ張らない様に設定しても、その架設状態を確実に保持する。【解決手段】基板２の一側縁に立壁３を垂直に立設し、他側縁にヒンジ部４を介して俯仰板５を回動自在に連設し、該俯仰板５の立壁３との対向面に複数の綴じ棒６、6aを突設し、該綴じ棒６、6aの先端部に対応する案内凹部７、7aを立壁３の上端部から下方に掛けて切欠形成し、該立壁３の外側面に接離自在に当接配置した係合板８の下端部を立壁３の下端部に枢着し、該立壁３側へ係合板８をバネ12にて付勢し、係合板８には、案内凹部７、7aに対応して綴じ棒６、6aの係合穴14、14ａを設けると共に、該係合穴14、14ａの上部周縁に連続する円弧面15、15ａを下部に、綴じ棒６、6aの先端部が摺接可能な傾斜面16、16ａを上部に夫々設けた凸部17、17ａを、案内凹部７、7aに挿脱自在に突設する。【選択図】図２
2010131836.tif 000002
【特許請求の範囲】
【請求項１】
基板の一側縁に立壁を垂直に立設すると共に、他側縁にヒンジ部を介して俯仰板を回動自在に連設し、該俯仰板の立壁との対向面に複数の綴じ棒を突設し、該綴じ棒の先端部に対応する案内凹部を立壁の上端部から下方に掛けて切欠形成し、該立壁の外側面に接離自在に当接配置した係合板の下端部を立壁の下端部に枢着し、該立壁側へ係合板をバネにて付勢し、係合板には、案内凹部に対応して綴じ棒の係合穴を設けると共に、該係合穴の上部周縁に連続する円弧面を下部に、綴じ棒の先端部が摺接可能な傾斜面を上部に夫々設けた凸部を、案内凹部に挿脱自在に突設したことを特徴とするバインダーの綴じ具。
【発明の詳細な説明】
【技術分野】
【０００１】
本発明は、書類、用紙等を綴じ込んで整理保存するバインダーの綴じ具に関する。
【背景技術】
【０００２】
従来、特許文献１に開示される様に、この種の綴じ具としては、バインダーの背表紙に固着される矩形状基板の一側に、書類を挿通する複数の綴じ棒を突設した俯仰板をヒンジ部を介して連設し、基板の他側に上端部から凹欠部を形成した立壁を垂直立設し、該立壁の外側に綴じ棒の係合穴を設けた係合板を配して、該係合板の下端部を立壁の下端部に回動自在に支承し、基板に固定して成る板バネにて係合板を立壁側へ付勢する様に成したものが見受けられる。
そして、上記綴じ具は、立壁に板バネの付勢力にて当接保持された係合板に対し俯仰板を対向する様に直立させると共に、綴じ棒の先端部を立壁の凹欠部を通して係合板の係合穴に挿入することにより、俯仰板から伸びる綴じ棒の係合板への架設状態が保持される。
【０００３】
【特許文献１】実開昭４９−４０５２４号公報（図１、２）
【発明の開示】
【発明が解決しようとする課題】
【０００４】
ところで、綴じ棒の係合板への上記架設状態は、係合板の係合穴に綴じ棒の先端部が貫通することで係合し、抜止めされている。
したがって、バインダーの表紙を閉じると係合穴を貫通する綴じ棒の先端部がバインダーの表紙の同一個所を常に圧接して凹ませ、その箇所が長期使用により傷つき、破れたりして、見栄えが悪いなどの課題を有している。
そこで、単純に綴じ棒を短くして、その先端部が係合穴を貫通しない様にすると、係合穴と綴じ棒の係合状態が安定せず、係合穴から綴じ棒を確実に抜止めできない。
このことは、係合板の肉厚が薄いものほど顕著であり、書類等の安定した綴じ込みができない。
そこで、本発明では、綴じ棒を従来に比し短く形成し、綴じ棒の係合板への架設状態において、綴じ棒の先端部が係合板の係合穴から出っ張らない様に設定しても、綴じ棒の前記架設状態を確実に保持できる様にしたバインダーの綴じ具を提供することを目的としている。
【課題を解決するための手段】
【０００５】
上記課題に鑑み、本発明に係るバインダーの綴じ具は、基板の一側縁に立壁を垂直に立設すると共に、他側縁にヒンジ部を介して俯仰板を回動自在に連設し、該俯仰板の立壁との対向面に複数の綴じ棒を突設し、該綴じ棒の先端部に対応する案内凹部を立壁の上端部から下方に掛けて切欠形成し、該立壁の外側面に接離自在に当接配置した係合板の下端部を立壁の下端部に枢着し、該立壁側へ係合板をバネにて付勢し、係合板には、案内凹部に対応して綴じ棒の係合穴を設けると共に、該係合穴の上部周縁に連続する円弧面を下部に、綴じ棒の先端部が摺接可能な傾斜面を上部に夫々設けた凸部を、案内凹部に挿脱自在に突設したことを特徴とする。
【発明の効果】
【０００６】
要するに本発明は、上記の様に構成したので、バネの付勢力にて立壁に係合板を当接保持した状態では、案内凹部に係合穴が連通すると共に、案内凹部内の係合穴の上部対応位置には、係合板において係合穴の上部より案内凹部へ突出する凸部が挿入配置される。
よって、凸部の上部に設けた傾斜面と、その下部に設けた係合穴の上部周縁に連続する円弧面を係合穴の手前に配置できるので、綴じ棒の先端部が係合穴を貫通突出することのない様に、綴じ棒を従来に比し短く設定でき、従来の様にバインダーの表紙を傷つけることがない。
そして、綴じ棒を係合板へ架設するに当たっては、俯仰板を引き起こし、係合板の手前にして案内凹部７、7a内の上部に位置する凸部の傾斜面に綴じ棒の先端部を摺接させることにより、係合板を押し開く様に一旦外側へ傾倒させられ、その後に綴じ棒が基板に対し平行に位置すると、バネの付勢力にて復帰する係合板により、綴じ棒の先端部は従来の様に係合穴を貫通突出することなく、係合穴内に留まる様に挿入配置されるが、係合穴の上部周縁に連続する円弧面によっても綴じ棒の先端部は係止されているため、従来以上に係合板に対する綴じ棒の抜止め効果を発揮でき、その係止状態を容易に解除できないから、綴じ棒の係合板への架設状態を確実にして安定的に保持できる等その実用的効果甚だ大である。
【発明を実施するための最良の形態】
【０００７】
以下本発明の実施の一形態例を図面に基づいて説明する。
本発明に係る綴じ具１は、その構成部材が全てプラスチックから形成されており、図１、２に示す様に、矩形状の基板２をバインダーａの背表紙a1上に衝合し、基板２の四隅をリベットにて鋲着固定している。
尚、図中のバインダーａはその表表紙と裏表紙を一部破断して表している。
【０００８】
そして、基板２の一側縁には立壁３を垂直に立設すると共に、他側縁には屈曲自在な薄肉状のヒンジ部４を介して俯仰板５を回動自在に連設し、該俯仰板５の立壁３との対向面には書類等を挿通する複数の綴じ棒６、6aを垂直に突設している。
ヒンジ部４は、俯仰板５の下端部後端縁と基板２の他側上縁との間に介装して成り、俯仰板５を引き起こした状態では、俯仰板５の下端部は基板２上に直立する様に成している。
又、綴じ棒６、6aは、後述する様に、従来に比し短く設定され、その先端部の下方が斜めにカットされた傾斜面を有している。
【０００９】
立壁３は、綴じ棒６、6aの先端部に対応してこれを挿通可能と成した案内凹部７、7aを、その上端部から所定長さ下方に掛けて切欠形成している。
又、立壁３にはこれの外側面に接離自在な係合板８を当接配置しており、該係合板８は、基板２と同一長で立壁３と同一高の矩形板から成り、その下端部を立壁３の下端部に枢着している。
【００１０】
具体的には、図３に示す様に、立壁３は基板２より若干短く形成され、立壁３の下端部両端にピン９、9aを突設し、係合板８の下端部両端にピン９、9aの軸受け部10、10ａを設けている。
軸受け部10、10ａは円筒状に形成され、軸受け部10、10ａの背部（係合板８の外側に対応した）下方を切欠形成して、ピン９、9aの挿入口11、11ａと成し、図４に示す様に係合板８を所定角度傾倒した状態で、ピン９、9aを挿入口11、11ａから軸受け部10、10ａ内に挿着して、係合板８を回動自在と成している。
【００１１】
そして、係合板８は、バネ12により立壁３側へ付勢されている。
バネ12はＵ字板状に形成され、立壁３と係合板８の下端部側に設けたバネ差込み部13よりこれらを挟持する様に差し込まれている。
【００１２】
バネ差込み部13は、立壁３の下端部中央から内側面へ向かって差込み口13ａを穿通形成すると共に、該差込み口13ａから連続して立壁３の内側面を上方に渡ってバネ12の一端部形状に略合致する様に刻設した凹欠部13ｂと、係合板８の外側面において、凹欠部13ｂとの対応位置に、バネ12の他端部形状に合致する様に刻設した凹欠部13ｃとから成る（図３、５参照）。
尚、凹欠部13ｃの上端部には、横手一条の凹溝13ｄを刻設し、該凹溝13ｄにバネ12の他端上部に突出した凸条12ａを嵌合して抜け止めと成している。
【００１３】
又、係合板８にあっては、案内凹部７、7aに対応してこれに連通する様に成した綴じ棒６、6aの係合穴14、14ａを貫設すると共に、該係合穴14、14ａの上部周縁に連続する円弧面15、15ａを下部に、綴じ棒６、6aの先端部が摺接可能な俯仰板５側へ向かって下る傾斜面16、16ａを上部に夫々設けた凸部17、17ａを、案内凹部７、7aに挿脱自在と成す様に突設している。
【００１４】
そして、係合板８に外力が作用していない通常状態では、バネ12の付勢力にて立壁３に係合板８が当接保持されており、かかる状態では、案内凹部７、7aに係合穴14、14ａが連通すると共に、案内凹部７、7a内の係合穴14、14ａの上部対応位置には係合板８（係合穴14、14ａの上部）より前方へ突出する凸部17、17ａが挿入配置される。
この様に、凸部17、17ａの上部に設けた傾斜面16、16ａと、その下部に設けた係合穴14、14ａの上部周縁に連続する円弧面15、15ａを係合穴14、14ａの手前に配置できるので、綴じ棒６、6aの先端部が係合穴14、14ａを貫通突出することのない様に、綴じ棒６、6aを従来に比し短く設定している。
【００１５】
又、立壁３は、その上端部の中央及び両端部を切欠形成して、係合板８の内側面（立壁３との接合面）を立壁３側に部分的に露出させ、かかる部位を指当て部18、18ａ…と成している。
【００１６】
上記の様に構成された綴じ具１において、図１に示す様に、綴じ棒６、6aを係合板８へ架設するに際しては、図２に示す倒伏状態の俯仰板５を引き起すことにより、図６の如く係合板８の手前にして案内凹部７、7a内の上部に位置する傾斜面16、16ａに綴じ棒６、6aの先端部を押し当てながら摺接させることとなり、これによりバネ12の付勢力に抗して係合板８を押し開く様に一旦外側へ傾倒させる。
【００１７】
その後に俯仰板５が基板２上に直立して綴じ棒６、6aが基板２に対し平行に位置し、綴じ棒６、6aの先端部が案内凹部７、7a内の下部に落ち着くと、係合板８はバネ12の付勢力にて立壁３に当接するまで復帰する。
これにより、綴じ棒６、6aの先端部は、従来の様に係合穴14、14ａを貫通突出することなく、係合穴14、14ａ内に留まる様に挿入配置されるが、係合穴14、14ａの上部周縁に連続する円弧面15、15ａによっても係止されるので、綴じ棒６、6aの係合板８への架設状態は確実にして安定的に保持される。
【００１８】
綴じ棒６、6aの係合板８への架設を解除するには、バネ12の弾性力に抗して指当て部18、18ａ…を外方へ押圧して係合板８を一旦外側へ傾倒させ、係合穴14、14ａと円弧面15、15ａによる綴じ棒６、6aの先端部の係止状態を解除して、俯仰板５を回動自在な状態と成すことにより成し得る（図２、６参照）。
【図面の簡単な説明】
【００１９】
【図１】本発明に係るバインダーの綴じ具の斜視図である。
【図２】綴じ棒の係合板への架設解除状態における綴じ具の斜視図である。
【図３】綴じ具の分解斜視図である。
【図４】係合板の取付過程を示す図である。
【図５】バネの装着状態を示す要部断面図である。
【図６】綴じ棒の係合板への架設状態を示す一部破断側面図である。
【符号の説明】
【００２０】
２        基板
３        立壁
４        ヒンジ部
５        俯仰板
６、6a    綴じ棒
７、7a    案内凹部
８        係合板
12        バネ
14、14ａ  係合穴
15、15ａ  円弧面
16、16ａ  傾斜面
17、17ａ  凸部
【図１】
2010131836.tif 000003
【図２】
2010131836.tif 000004
【図３】
2010131836.tif 000005
【図４】
2010131836.tif 000006
【図５】
2010131836.tif 000007
【図６】
2010131836.tif 000008